(57)【要約】【課題】着用者に圧迫感、窮屈感、つっぱり感を与えず、ズリ下がりを抑制でき、身体に対するフィット性のよい筒状経編物からなる下半身用衣料を提供する。【解決手段】股上部１３，２３と、該股上部に股間部１４，２４を介して連続する筒状の脚部１５，２５を有する左側身頃部１０と右側身頃部２０の二つの筒状経編地を縫着し結合してなる下半身用衣料１であって、股間部１４，２４に相当する部位に外方への拡張編地部１６ａ，１６ｂ；２６ａ，２６ｂが設けられ、後身頃部１２，２２の股上高さが前身頃部１１，２１の股上高さよりも高くされている下半身用衣料。【選択図】図２
2014125687.tif 000002
【特許請求の範囲】
【請求項１】
前身頃部と後身頃部が外側端部で接結し中央線部で非接結状態にして編成された股上部と、該股上部に股間部を介して連続し筒状に編成された筒状の脚部を有する左側身頃部及び右側身頃部の二つの筒状経編地を、前記股上部の中央線部で縫着し結合してなる下半身用衣料であって、左側身頃部及び右側身頃部の股間部に相当する部位にそれぞれ外方への拡張編地部が設けられてなり、後身頃部の股上高さを前身頃部の股上高さよりも高くされていることを特徴とする下半身用衣料。
【請求項２】
股上部における前身頃部及び後身頃部の上部、並びに股上部の正面及び背面中央線部側の側端部に、それぞれのサイズに応じた複数の切り出し用の指標部が形成されてなる請求項１記載の下半身用衣料。
【請求項３】
拡張編地部が三角形状をなし、その先端の広がり角度α１が４５〜１４０度である請求項１又は２に記載の下半身用衣料。
【請求項４】
股上部における後身頃部上端のパターンラインが、水平をなすウエストラインに対して外側端部からみて３〜２０度上方に傾斜している請求項１乃至３のいずれかに記載の下半身用衣料。
【請求項５】
股上部における前身頃部上端のパターンラインが、水平をなすウエストラインに対して外側端部からみて０〜２０度下方に傾斜している請求項１乃至４のいずれかに記載の下半身用衣料。
【請求項６】
経編地が伸縮性経編地である請求項１乃至５のいずれかに記載の下半身用衣料。
【請求項７】
２列の針床を有する経編機により、それぞれ前身頃部と後身頃部が外側端部で接結され中央線部で非接結状態にして編成された股上部と、該股上部に股間部を介して連続し筒状に編成された脚部とを有する左側身頃部及び右側身頃部となる二つの筒状経編地であって、左側身頃部及び右側身頃部の股間部に相当する部位にそれぞれ外方への拡張編地部を形成し、後身頃部の股上高さを前身頃部の股上高さより高くした二つの筒状経編地を、その周囲の切り出し用のはし渡し部とともに編成し、編成後に、該はし渡し部を切断して各筒状経編地を切り出し、切り出した二つの筒状経編地からなる左側身頃部と右側身頃部を、股上部の正面及び背面中央線部で縫着し結合することを特徴とする下半身用衣料の製造方法。
【請求項８】
前記はし渡し部を切断することにより左側身頃部と右側身頃部を切り出して分離し、分離された左側身頃部と右側身頃部において、股上部における前身頃部及び後身頃部の上部、並びに股上部の正面及び背面中央線部側の側端部に、それぞれのサイズに応じた複数の指標部を形成し、着用者の体格や嗜好に基づいて前記複数の指標部から選択された一つの指標部の案内に従って、任意のラインで衣料の要調節部を切断する請求項７記載の下半身用衣料の製造方法。
【発明の詳細な説明】
【技術分野】
【０００１】
本発明は、２列の針床を有する経編機により、一部が筒状に編成される筒状経編物からなる下半身用衣料及びその製造方法に関するものである。
【背景技術】
【０００２】
近年、２列の針床を有し、２列のジャカードガイドバーを備えるダブルラッセル機等の経編機により編成された筒状経編物からなる衣料として、身体に対するフィット性のよいパンツ、ショーツ、ガードル、シャツ、アウター等の多くのアイテムが開発されている。最近は、衣料の編糸に弾性糸を使用してその伸縮効果を利用して、体形補整や筋肉サポート機能の向上(緊締力の向上)などを図った機能商品も多く開発されている。
【０００３】
この様な商品は、２列のジャカードガイドバーで導糸する編糸に、ポリウレタン糸（弾性糸）をポリエステル糸又はナイロン糸等でカバーリングした所謂カバーリング糸を使用し、地組織にはポリエステル糸や各種の加工糸を使用することで多様な機能要求に対応している。
【０００４】
例えば、股間部を有するパンツの場合、ヒップ部の膨らみについては、筒状に編成する場合の開口部の大きさに合わせ統計的なデータにより各部分の長さや形状を調整したり、弾性糸等の伸縮性素材を用いることにより調整ができるように編成している。
【０００５】
しかし、この様なパンツの場合、着用者個々の体形の違い、即ち、筋肉や脂肪等の付き方や大きさ、長さ、形状等の違いによって、前身頃の腹部上端から股間部まで長さや、後身頃のヒップ部上端から股間部にかけての長さに違いがあり、個々の体形にフィットする商品の作成は困難であった。
【０００６】
このような問題に対し、例えば、特許文献１では、ダブルニードル列経編機により一体編成するショーツにおいて、前後一方のニードル列で胴部左側部と左側脚部からなる左側半部を、他方のニードル列で胴部右側部と右側脚部からなる右側半部をそれぞれ編成し、胴部左側部と胴部右側部とを胴部の前後で接結して筒編し、左側脚部と右側脚部をそれぞれ別に編成し、前後の接結編部分の端部から連続して裁断するとともに、この前後の裁断縁の少なくとも一方を、これに連続する接結編部分より編地内方へ湾入させてこの裁断縁を脚部内側で縫製することにより、股部の前後部にゆとりを持たせる方法が開示されている。
【０００７】
しかし、この方法では、前身頃及び後身頃の前後股上部の形状や長さは同じとなり、着用時、身体の前後左右の曲げ運動、屈伸運動等の動きにより、後身頃側のヒップ部で下部方向に引っ張られてズリ下がることがあり、満足する着用感が得られないものとなる。
【０００８】
このような状況に鑑み、身体の動き(運動)に対し、身体の全体又は一部分に窮屈（圧迫）感や、つっぱり感等を与えにくくてフィット性のよい筒状経編物からなる衣料が求められている。
【先行技術文献】
【特許文献】
【０００９】
【特許文献１】特開２０１０−１９６１８５号公報
【発明の概要】
【発明が解決しようとする課題】
【００１０】
本発明は、２列の針床を有する経編機により一部が筒編されて構成される筒状経編物からなる下半身用衣料であって、着用者の体形、特に腰回りの体形に合わせたパターン形状を容易に製造でき、着用者に窮屈感や、つっぱり感を与えることがなく、また後身頃のズリ下がりによる下着の露出等を抑制でき、身体に対するフィット性のよい下半身用衣料を提供するものであり、さらにはその製造方法を提供するものである。
【課題を解決するための手段】
【００１１】
本発明は、上記課題を解決するものであり、
（１）、前身頃部と後身頃部が外側端部で接結され中央線部で非接結状態にして編成された股上部と、該股上部に股間部を介して連続し筒状に編成された筒状の脚部を有する左側身頃部及び右側身頃部の二つの筒状経編地を、前記股上部の中央線部で縫着し結合してなる下半身用衣料であって、左側身頃部及び右側身頃部の股間部に相当する部位にそれぞれ外方への拡張編地部が設けられてなり、後身頃部の股上高さが前身頃部の股上高さよりも高くされていることを特徴とする下半身用衣料である。
【００１２】
また、（２）、股上部における前身頃部及び後身頃部の上部、並びに股上部の正面及び背面中央線部側の側端部に、それぞれのサイズに応じた複数の指標部が形成されてなる（１）記載の下半身用衣料である。
【００１３】
また、（３）、拡張編地部が三角形状をなし、その先端の広がり角度α１が４５〜１４０度である（１）又は（２）に記載の下半身用衣料である。
【００１４】
また、（４）、股上部における後身頃部上端のパターンラインが、外側端部からみて水平をなすウエストラインに対して３〜２０度上方に傾斜している（１）乃至（３）のいずれかに記載の下半身用衣料である。
【００１５】
また、（５）、股上部における前身頃部上端のパターンラインが、外側端部からみて水平をなすウエストラインに対して０〜２０度下方に傾斜している（１）乃至（４）のいずれかに記載の下半身用衣料である。
【００１６】
また、（６）、経編地が伸縮性経編地である（１）乃至（５）のいずれかに記載の下半身用衣料である。
【００１７】
また、（７）、２列の針床を有する経編機により、それぞれ前身頃部と後身頃部が外側端部で接結され中央線部で非接結状態にして編成された股上部と、該股上部に股間部を介して連続し筒状に編成された脚部とを有する左側身頃部及び右側身頃部となる二つの筒状経編地であって、左側身頃部及び右側身頃部の股間部に相当する部位にそれぞれ外方への拡張編地部を形成し、後身頃部の股上高さを前身頃部の股上高さより高くした二つの筒状経編地を、その周囲の切り出し用のはし渡し部とともに編成し、編成後に、該はし渡し部を切断して各筒状経編地を切り出し、切り出した二つの筒状経編地からなる左側身頃部と右側身頃部を、股上部の正面及び背面中央線部で縫着し結合することを特徴とする下半身用衣料の製造方法である。
【００１８】
また、（８）、前記はし渡し部を切断することにより左側身頃部と右側身頃部を切り出して分離し、分離された左側身頃部と右側身頃部において、股上部における前身頃部及び後身頃部の上部、並びに股上部の正面及び背面中央線部側の側端部に、それぞれのサイズに応じた複数の指標部を形成し、着用者の体格や嗜好に基づいて前記複数の指標部から選択された一つの指標部の案内に従って、任意のラインで衣料の要調節部を切断する（７）記載の下半身用衣料の製造方法である。
【発明の効果】
【００１９】
本発明によれば、例えば、ズボン、レギンス、パンツ、ショーツ、ガードル等の股間部を有する下半身用衣料を、編成された左側身頃部と右側身頃部の二つの筒状経編物を縫着することにより構成されるので、製造が容易である上、体形に合わせて、股上部の前後の高さや腰回りの大きさを任意に調節し縫製することができるため、編地による過度な締め付け感が軽減され、着用感を損なうことなく体形にフィットし、姿勢変化によるいわゆる「くい込み」や「つっぱり感」が抑えられ、また立ったり座ったりを繰り返したときや、しゃがんだ姿勢から立ち上がったときに、はき口の背中側がズリ下がってきて、下着が露出したり、またパンツはき口にたくし込んだシャツが外に飛び出したりすることが抑えられる。
【図面の簡単な説明】
【００２０】
【図１】本発明の下半身用衣料の編成に用いる経編機要部の概略説明図である。
【図２】本発明の実施例の下半身用衣料の編成上のパターンを示す略示平面図である。
【図３】同上の下半身用衣料の縫製後の略示正面図である。
【図４】本発明に用いる編地の編成組織例である。
【図５】本発明において筒状部を編成するための編組織例である。
【発明を実施するための形態】
【００２１】
以下、本発明の筒状経編物からなる下半身用衣料とその製造方法について、図面に示す実施例を参照して具体的に説明する。
【００２２】
本発明の筒状経編物からなる下半身用衣料としては、ズボン、レギンス、パンツ、ショーツ、ガードル等の股間部を有する下半身用衣料が挙げられ、後述するように、図１に示す２列の針床を有する経編機、好ましくはジャカード機構により制御される２列のジャカードガイドバーを備える経編機により、表裏編地の編成を基本にして、例えば図２のパターンで編成される。
【００２３】
図２は、股間部を有する図３に示すズボン等の下半身用衣料１の編成上の一組の製品パターンを示している。このパターンは、筒状経編地からなる左側身頃部１０と右側身頃部２０をそれぞれ正面から見立てたパターンであり、それぞれ表裏編地Ａ，Ｂからなる前身頃部１１，２１と後身頃部１２，２２とが、一部非接結状態、特には衣料の左右両側に相当する外側端部が接結編され、衣料の正面及び背面中央線部に相当する内側端部が非接結状態で編成された股上部１３，２３と、該股上部１３，２３に股間部１４，２４を介して連続して筒状に編成された脚部１５，２５とを有するパターンをなしている。さらに、前記前身頃部１１，２１と後身頃部１２，２２の股間部１４，２４に相当する部位に、それぞれ外方へ突出する拡張編地部１６ａ，１６ｂ；２６ａ，２６ｂを形成するとともに、後身頃部１２，２２側の股上高さを前身頃部１１，２１の股上高さより高くしたパターンをなしている。
【００２４】
前記パターンの左側身頃部１０と右側身頃部２０は、その周囲を囲む切り出し用のはし渡し部（図示省略）とともに編成される。前記筒状の脚部１５，２５は、それぞれ両側端で表裏編地Ａ，Ｂが接結編されることにより筒状をなしている。外側端の接結編は股上部１３，２３の外側端部の接結編に連続し、内側端の接結編は前記拡張編地部１６ａ，１６ｂ；２６ａ，２６ｂの頂部にまで連続している。内側端の接結編を前記拡張編地部１６ａ，１６ｂ；２６ａ，２６ｂの基部付近まで連続させておき、拡張編地部１６ａ，１６ｂ；２６ａ，２６ｂの端縁部を非接結状態にしておく場合もある。
【００２５】
通常、前記のパターで編成された後、前記はし渡し部を切断して切り出した二つの左側身頃部１１と右側身頃部２１を、表裏編地Ａ，Ｂが非接結状態の股上部１３，２３の正面及び背面中央線部に相当する内側端部で縫着し結合することにより、図３のような下半身用衣料１を構成する。
【００２６】
なお、はし渡し部は、例えば、本出願人の特許第４８７９０６８号に記載された組織、すなわち製品になる編地部分の端部のウェルと、これに隣接する他の編地部分の端部のウェルとの間を、アンダーラップによるシンカーループのみを渡して連結する組織、さらには前記両ウェル間を渡るシンカーループの本数を少なくした組織を用いることができる。
【００２７】
また、本発明によれば、後身頃部１２，２２の上部及び前身頃部１１，２１の上部、並びに股上部１３，２３の正面及び背面中央線部側の側端部に、サイズに応じた複数の切り出し用の指標部１７，２７をそれぞれ端縁部に沿って形成し、着用者の体形や嗜好に基づいて前記複数の指標部１７，２７から選択された一つの指標部１７，２７に従って、任意のラインで下半身用衣料１０の後身頃部１２，２２の上部、前身頃部１１，２１の上部および股上部１３，２３の前後の中央線部側の端部を切断することができるようになっている。
【００２８】
前記指標部１７，２７は、例えば、シンカーループの編糸の動きを、他が２針振りで柄を編成しているときに、指標部１７，２７のラインの編糸を１針振りにしたり、鎖編みにし、コース方向に１乃至２コース間隔をおいて編成したり、シンカーループの方向を逆方向にして編成することで、裏面側に現れるように一体に編成することができる。これにより指標部１７，２７の形成を編物の編成と同じに一挙に効率的に行うことができる。
【００２９】
切断はこれらの指標部１７，２７に厳密に合わせて行われなくてもよく、指標部を目安に任意のラインで切断を行うことができる。これにより、従来の下半身用衣料がサイズが数種類に固定されたものから選択せざるを得なかったことと比較して、本発明では着用者の体形、特に腰回り（股上部）の形状やサイズおよび嗜好に合わせた無段階的な調整が可能であり、優れた着用感を得ることができる。
【００３０】
また、本発明に用いる経編地は、切断により股上部１３，２３の形状やサイズを任意に調整することができるが、任意の点で切断しても、経編構造であるために、切断部をそのままとしても、切断部での糸のほつれは起こりにくいが、切断部分に熱溶融糸を用いて溶融接着させたり、ほつれにくい編組織で編成されることがさらに好ましい。
【００３１】
本発明の下半身用衣料１の場合は、前記パターンにおける表裏編地Ａ，Ｂに編成された、左側身頃部１０と右側身頃部２０の股上部１３，２３を構成する前身頃部１１，２１及び後身頃部１２，２２の股間部１４，２４に相当する部位、すなわち脚部１５，２５の付け根の前後身頃部１１，１２；２１，２２に相当する部位に、それぞれ外方に突出拡張された拡張編地部１６ａ，１６ｂ；２６ａ，２６ｂが設けられており、縫製後の製品である下半身用衣料１において、股間部１４，２４にゆとりをもたせて窮屈感を緩和するようにしている。
【００３２】
拡張編地部１６ａ，１６ｂ；２６ａ，２６ｂの形状や大きさは、特に限定されるものではなく、皺の発生や縫製上の作業効率等を考慮して設定すればよいが、図示のように三角形状にした場合、縫合作業が容易になり、かつ皺を生じにくいため好ましい。なお、拡張編地部の三角形状としては、頂部先端に丸みを付したり、斜辺がカーブしたりしている全体として略三角形状をなしているものを含むものする。
【００３３】
また、拡張編地部１６ａ，１６ｂ；２６ａ，２６ｂの形状を図のような三角形状した場合、該拡張編地部１６ａ，１６ｂ；２６ａ，２６ｂの先端部の拡がり角度α１は、４５〜１４０度の範囲が好ましい。前記先端部の拡がり角度α１が４５度より小さいと、先端部の面積が小さくなり、股下部にゆとりが十分でなくなり、若干窮屈感を生ずることになる。逆に、前記拡がり角度α１が１４０度を越えると、股間部１４，２４にたるみを生じることになる。従って前記範囲で用途や体形に合わせて適宜に選択するのが望ましい。
【００３４】
また、前記パターンにおいて、後身頃部１２，２２の股上高さを前身頃部１１，２１の股上高さよりも高く編成することが好ましい。本発明において、股上高さとは、後身頃部１２，２２及び前身頃部１１，２１による股上部１３，２３の股間部１４，２４に形成された拡張編地部１６ａ，１６ｂ；２６ａ，２６ｂの頂部を通る水平をなす脚部付け根ラインＬａ上からそれぞれの股上部１３，２３の上端までの長さをいう。従来、股上部１３，２３の前後身頃部１１，１２；２１，２２の上端は水平をなすウエストラインＬｂに対し平行に編成されており、前後の屈伸運動等の際、後身頃側がヒップの下部方向に引っ張られて下がり、腰部周辺が露出してしまう虞があるが、前記のように編成することによりその虞を軽減できる。
【００３５】
更に好ましくは、股上部１３，２３における後身頃部１２，２２の上端のパターンラインが、水平をなすウエストラインＬｂに対して接結編の外側端部からみて３〜２０度上方に傾斜するように編成されることが好ましく、また、股上部１３，２３における前身頃部１１，２１の上端のパターンラインが、水平をなすウエストラインＬｂに対して接結編の外側端部からみて０〜２０度下方に傾斜するように編成されることが好ましい。
【００３６】
また、後身頃部１２，２２の上端のパターンラインと前身頃部１１，２１の上端のパターンラインとの角度α２は、３〜４０度であるのが好ましく、さらに好ましくは１０〜３０度である。前記角度α２が３度未満であると、後身頃部１２，２２の股上高さと前身頃部１１，２１の股上高さに差が出にくく、立ったり座ったりを繰り返したときや、しゃがんだ姿勢から立ち上がったときに、後身頃部１２，２２の側が下部方向に引っ張られて下がり、腰部周辺が露出してしまう虞がある。また、前記角度が４０度を越えると後身頃の余裕はできるが、ヒップ周辺で皺、ゆがみ、たるみを生ずる虞がある。
【００３７】
また、前記パターンにおいて、股上部１３，２３の上部で水平をなすウエストラインＬｂの長さＬ２に対する、拡張編地部１６ａ，１６ｂ；２６ａ，２６ｂの頂部を通り水平をなす脚部付け根ラインＬａの長さＬ１は、衣類のサイズや着用者の体形に合わせて適宜に設定すればよいが、その長さの比率（Ｌ２：Ｌ１）は、１：１．０５〜１．５であるのが好ましく、更には１：１．０５〜１．２が好ましい。
【００３８】
このように設定することにより、編成後の股間部１４，２４の前後部の縫製の際に、股間部１４，２４の長さの調整が容易となり、股間部１４，２４の前部から後部のヒップ下部にかけて余裕ができ、着用時に股間部１４，２４や股下の窮屈（圧迫）感が軽減される。
【００３９】
前記ウエストラインＬｂの長さＬ２と脚部付け根ラインＬａとの長さＬ１の比率が、１：１．０５未満であると、股間部１４，２４の前後の拡張編地部１６ａ，１６ｂ；２６ａ，２６ｂによる余裕が殆どなくなり、着用時に股間部１４，２４や股下で窮屈（圧迫）感があり違和感を感ずる。また、前記ウエストラインＬｂの長さＬ２と脚部付け根ラインＬａの長さＬ１の比率が１：１．５より大きいと、前記拡張編地部１６ａ，１６ｂ；２６ａ，２６ｂにより股間部１４，２４や股下にだぶつき、たるみを生じる虞がある。
【００４０】
上記のパターンの筒状経編物からなる下半身用衣料１は、例えば図１に示す２列の針床を有し、かつ２列のジャカードガイドバーを備えるダブルラッシェル機などの経編機により、筒編を主体として編成される。この際、編機ゲージは１４〜３２ゲージの範囲で用途、体形に合わせて適宜に選択することができる。
【００４１】
本発明において使用する編糸は、２２〜４４０ｄｔｅｘの範囲で用途、体形に応じ適宜に選択すればよい。また、編糸の素材は、ナイロン、ポリエステル、ポリプロピレン、ポリウレタン等の合成繊維、レーヨン等の再生繊維、綿やウールなどの天然繊維等が挙げられ、形状も長繊維糸、短繊維糸、それらの複合糸等が挙げられ、特に限定されるものではなく、それらを単独、混繊や交編など用途に合わせ適宜に組み合わせることができる。
【００４２】
図１の経編機は、２列の針床を有し、２列のジャカードガイドバーを備えるダブルラッセル機（カールマイヤー社製のＲＤＰＪ６／２Ｎ）の略図である。
【００４３】
図１において、Ｎ１，Ｎ２はそれぞれ編機幅方向に並列する前後の編針、Ｔ１，Ｔ２は前後の針釜（トリックプレート）を示し  、Ｙ１〜Ｙ６は各ガイドバーＬ−１〜Ｌ−６のガイド部Ｇ１〜Ｇ６に通糸される編糸を示している。Ｂ１〜Ｂ６は各編糸のビームを示す。編機のビームＢ１，Ｂ２から供給される編糸Ｙ１，Ｙ２がガイドバーＬ−１，Ｌ−２のガイドＧ１，Ｇ２に通糸されて、前側編針Ｎ１で編成され前側編地の地組織（表編地Ａ）となる。また、ビームＢ５，Ｂ６から供給される編糸Ｙ５，Ｙ６がガイドバーＬ−５，Ｌ−６のガイドＧ５，Ｇ６に通糸されて、後側編針Ｎ２で編成され後側編地の地組織（裏編地Ｂ）となる。ビームＢ３，Ｂ４から供給される編糸Ｙ３，Ｙ４はジャカード機構を有するジャカードガイドバーＬ−３，Ｌ−４のガイドＧ３，Ｇ４に通糸されて、前側編地（表編地）と後側編地（裏編地）に対して、ジャカート編組織の編成を行い、所望の意匠柄を付与しながら、例えば図２のパターンの左側身頃部１０と右側身頃部２０の編成を行うとともに、製造対象の下半身用衣料１のパターンの外形線に沿って、股上部１３，２３における前身頃部１１，２１と後身頃部１２，２２を、それぞれ衣料の左右両側に相当する外側端部では接結編し、衣料の正面及び背面中央線部に相当する内側端部では非接結状態にして、前後両編地（表裏編地Ａ、Ｂ）を部分的に接結構成するように編成し、さらに脚部１５，２５を筒状に接結編、つまり前後両編地（表裏編地Ａ、Ｂ）を両側端部で接結編するようにして筒編編成し、左側身頃部１０と右側身頃部２０の二つの筒状経編地を編成する。製造対象の下半身用衣料１の編地組織、すなわち前後両編地（表裏編地Ａ、Ｂ）の組織によっては、前記ガイドバーＬ−１及びＬ−６を使用せずに編成する場合もある。
【００４４】
図３は、上記図２のように編成されたパターンを、そのパターン周囲のはし渡し部に沿って切断し、外方の表裏編地Ａ、Ｂの不要部分を切除し、筒状経編地ごとに切り離された左側身頃部１０と右側身頃部２０を、正面中央線部に相当する前身頃部１１，２１の内側端部、及び背面中央線部に相当する後身頃部１２，２２の内側端部において、それぞれ拡張編地部１６ａ，１６ｂ；２６ａ，２６ｂの頂部先端から上部を結合するように縫製したものである。
【００４５】
本発明の場合は、上記したように、製造対象の下半身用衣料１を、正面から見立てた図のパターンにおいて、股上部１３，２３と、該股上部１３，２３に股間部１４ａ，２４を介して連続する筒状の脚部１６ａ，１６ｂ；２６ａ，２６ｂを有する左側身頃部１０と右側身頃部２０の二つの筒状経編地を、股上部１３，２３の正面及び背面中央線部となる内側端縁部で縫着し結合するとともに、股間部１４，２４に相当する部位に、それぞれ外方への拡張編地部１６ａ，１６ｂ；２６ａ，２６ｂを形成するように編成し、さらに、後身頃部１２，２２の股上高さよりも前身頃部１１，２１の股上高さを低くして編成する。
【００４６】
図４は、前後両編地（表裏編地Ａ，Ｂとなる）を接結しない編地部分の編組織を示しており、ガイドバーＬ−２及びＬ−５の鎖編に対し、ジャカードガイドバーＬ−３，Ｌ−４により地組織の一部をなすようにデンビ編を基準にしたジャカード組織を組み合わせて、前後両編地の地組織を編成する。また、図５は、本発明における脚部１６，２６に用いる、前後両編地（表裏編地Ａ，Ｂ）を接結する編組織の例を示しており、前記のジャカードガイドバーＬ−３，Ｌ−４により、図４と同様に、デンビ編を基準にしたジャカード組織を編成しながら、所要のコースの位置で前後一方の編針の側から他方の編針の側に掛け渡して前後両編地（表裏編地Ａ，Ｂ）を接結するように編成する。図４及び図５において、Ｆは前側の編針で編成するコースを、Ｂは後側の編針で編成するコースを示している。
【００４７】
本発明における編地の編密度は、１４〜１００コース／２．５４ｃｍ、１４〜８０ウエル／２．５４ｃｍの範囲で、用途に応じて適宜に設定することができる。
【００４８】
なお、上記の説明では、便宜的に図２に基づいて単一の衣料の一組の左右身頃部１０，２０のパターンについて説明しているが、実際の製造においては、前記の一組のパターンが編成されるほか、前記と同一のパターンが、編幅方向に複数組を並べて編方向に所定間隔毎に連続して編成される。また、パターンの外方の編地部分において、パターンの外形線に沿う編地部分を、上述したはし渡し部のような編成後の切断が容易な編組織にしておくのが好ましい。
【００４９】
以下、実施例により本発明をさらに詳しく説明するが、本発明は以下の実施例に限定されるものではない。
【００５０】
〔実施例１〕 
２列のジャカードガイドバーを備えるダブルラッセル機（カールマイヤー社製  ＲＤＰＪ６／２Ｎ−２４Ｅ）を用いて、ガイドバーＬ−２，Ｌ−５に５６ｄｔｅｘ／２４ｆの加工糸を使用し、ジャカードガイドバーＬ−３，Ｌ−４には、４４ｄｔｅｘ／４ｆのポリウレタン糸を芯糸にして、４４ｄｔｅｘ／３４ｆのナイロン糸を６００回／ｍでカバーリングした弾性カバーリング糸を使用し、表裏編地は図６のガイドバーＬ−２，Ｌ−５の鎖編と、ジャカードガイドバーＬ−３，Ｌ−４によるデンビ編との組み合わせによる地組織にして、適宜必要に応じてジャカード組織に変化を与えて、図２に示すパターンにて編成した。このとき編地の仕上り密度を６０コース／４０ウエルとした。
【００５１】
編成したパターンにおいて、股上部１３，２３における後身頃部１２，２２上端のパターンラインが、水平をなすウエストラインＬｂに対して外側端部の接結編の部分からみて１０度上方に傾斜し、股上部１３，２３における前身頃部１１，２１上端のパターンラインが、水平をなすウエストラインに対して外側端部の接結編の部分からみて３度下方に傾斜して編成され、後身頃部１２，２２の股上高さが前身頃部１１，２１の股上高さより高くなるようにした。また、水平をなすウエストライン方向の後身頃股上部の長さが前身頃股上部の長さの１．２倍であった。
【００５２】
また、股間部１４，２４を形成する拡張編地部１６ａ，１６ｂ；２６ａ，２６ｂは三角形状をなしており、その先端部の拡がり角度α１は９５度であった。
【００５３】
編成後、表裏編地Ａ、Ｂを左側身頃部１ａ及び右側身頃部１ｂのパターンの外形線に沿って切断して切り出すことにより、パターン外方の不要部分を切除し、左側身頃部１ａおよび右側身頃部１ｂとなる二つの筒状経編地を得た。その後、前後身頃部１１，１２；２１，２２が非接結状態で編成されている股上部１３，２３の正面及び背面中央線部に相当する内側端部において、左側身頃部１０と右側身頃部２０の両者を縫着して結合し、図３の下半身用衣料１を得た。
【００５４】
得られた衣料製品について、実際に着用して評価を行ったところ、着用者に圧迫感、窮屈感、つっぱり感を与えず、またズリ下がりを抑制でき、身体に対するフィット性のよい下半身用衣料であった。
【００５５】
〔実施例２〕
実施例１の脚部付け根ラインＬａの前後部に当たる股間部１４，２４の拡張編地部１６ａ，１６ｂ；２６ａ，２６ｂの三角形状の先端部の拡がり角度α１を３０度とした以外は、実施例１と同様にして編成し、編成後、同様にパターンの外形線に沿って切除し縫製して下半身用衣料を得た。
【００５６】
得られた製品について上記と同様の評価を行ったところ、着用者に圧迫感、窮屈感、つっぱり感を与えず、ズリ下がりを抑制でき、身体に対するフィット性のよいフィット感がある下半身用衣料であった。
【００５７】
〔実施例３〕
実施例１の経編地に、股上部における後身頃部に指標部を編み込み、編成後、表裏編地をパターンの外形線に沿って切断し、パターン外方の不要部分を切除した後、前記股上部における後身頃部の前記指標部に沿って切断し、股上部形成部の正面及び背面中央線部で左右の身頃部を縫着し結合して下半身用衣料を得た。
【００５８】
得られた製品についても上記と同様の評価を行ったところ、着用者に圧迫感、窮屈感、つっぱり感を与えず、ズリ下がりを抑制でき、身体に対するフィット性のよい下半身用衣料であった。
【００５９】
〔比較例1〕
実施例1と同様の組織、糸使いにて編成するとともに、製品パターンについては、股上部における後身頃部上端のパターンライン及び、股上部における前身頃部上端のパターンラインが、それぞれ水平をなすウエストラインに対して平行に編成され、後身頃部の股上高さと前身頃部の股上高さを同じになるようにした。また、水平をなすウエストライン方向の後身頃股上部の長さが前身頃股上部の長さの１．２倍であった。
【００６０】
また、股間部を形成する拡張編地部の三角山状の先端側の拡がり角度α１は９５度であった。
【００６１】
編成後、表裏編地をパターンの外形線に沿って切断し、パターン外方の不要部分を切除した後、股上部の正面及び背面中央線部で左右身頃部を縫着し下半身用衣料を得た。
【００６２】
得られ製品は、若干の窮屈感、又は緩さ（だぶつき）感があり、しゃがんだ際に下着が後身頃上端部から露出することがあり、フィット性に劣る下半身衣料であった。
【符号の説明】
【００６３】
Ａ，Ｂ…表裏編地、１…下半身用衣料、１０…左側身頃部、２０…左右側身頃部、１１，２１…前身頃部、１２，２２…後身頃部、１３，２３…股上部、１４，２４…股間部、１６ａ，１６ｂ；２６ａ，２６ｂ…拡張編地部、１７，２７…指標部、α１…拡がり角度、α２…後身頃部上端のパターンラインと前身頃部の上端のパターンラインとの角度、Ｌａ…脚部付け根ライン、Ｌｂ…ウエストライン。
【図１】
2014125687.tif 000003
【図２】
2014125687.tif 000004
【図３】
2014125687.tif 000005
【図４】
2014125687.tif 000006
【図５】
2014125687.tif 000007